(57)【要約】【課題】  化学繊維製綿状（断熱・吸音）材、例えば、ポリエチレンテレフタレート繊維製綿状（断熱・吸音）材（ＰＥＴウール）が出回っている。  これ等は、繊維が高強度であり、通常鋭利なナイフ・鋏においても、綺麗な断面で素早く切断する事は困難である。  これ等切断困難性を解決し、建築現場等に手軽に持ち込め、切断作業性を大幅に改善する切断工具を提供する。【解決手段】  切断テーブル（１）の１辺にナイフブレード（２）を切断テーブル（１）の水平面に対し鋭角に角度を付けて取り付け、切断作業は、切断テーブル（１）の上に被切断体（３）を置き、ナイフブレード（２）の前方切れ刃部分（２ａ）より後方刃尻（２ｂ）方向へ移動させる事により、被切断体（３）を切断する。【選択図】図１
2016011483.tif 000002
【特許請求の範囲】
【請求項１】
切断テーブル（１）の１辺にナイフブレード（２）を切断テーブル（１）の水平面に対し鋭角に角度を付けて取り付けて成る、化学繊維製綿状材の切断工具。
尚、切断作業は、切断テーブル（１）の上に被切断体（３）を置き、ナイフブレード（２）の前方切れ刃部分（２ａ）より後方刃尻（２ｂ）方向へ移動させる事により、被切断体（３）を切断する。
この際、被切断体（３）の移動手段は、特定しない。
例えば、移動手段の例としては、手に依る移動、コンベヤーに依る移動、ローラーに依る移動等が考えられる。
ナイフブレード（２）の取付角度については、切断テーブル（１）の水平面に対し鋭角に角度を付けて取り付ければよく、取付角度については、材質や材の密度他の条件により最適な角度をナイフブレード取付金具（９）の形状や押さえ板（４）の位置変更により決定するので、特定しない。
【発明の詳細な説明】
【技術分野】
【０００１】本発明は、化学繊維製綿状（断熱・吸音）材、例えば、建築材料としてよく使用されるポリエチレンテレフタレート繊維ウール（以下、「ＰＥＴウール」又は「被切断体」という）を容易に切断できる切断工具に関する。
【技術背景】
【０００２】例えば、建築材料としてよく使用される化学繊維製綿状（断熱・吸音）材のＰＥＴウールは、廃棄ＰＥＴボトルでリサイクル出来、経済性・安全性・環境性・耐久性・断熱性・耐熱性・吸音性・透水性に優れ、湿気を溜め込まない優れた断熱・吸音材であり、エコロジーの面からも、これからの建築資材として有用な製品である。
【０００３】しかし、ＰＥＴウールは、繊維が高強度であり綿状の為、通常鋭利なナイフ・鋏においても、綺麗な断面で素早く切断する事は困難である。
この切断加工性の悪さが化学繊維製綿状（断熱・吸音）材のＰＥＴウールの普及を妨げてきた一因となっている。
【０００４】本発明者は、建築防音音響工事を職業としており、常にこの課題の克服を考える中、当発明に辿り着いた。
【発明の概要】
【発明が解決しようとする課題】
【０００５】ＰＥＴウールは、繊維が高強度であり、通常鋭利なナイフ・鋏においても、綺麗な断面で素早く切断する事は困難である。
この切断加工製の悪さを解決すべき課題とした。
【課題を解決するための手段】
【０００６】前記目的を解決するため、次のような手段を用いるものである。
以下、実施例図▲１▼に基づき説明する。
（当考案の基本構造）
切断テーブル（１）の１辺にナイフブレード（２）を切断テーブル（１）の水平面に対し鋭角に角度を付けて取り付ける。
切断作業は、切断テーブル（１）の上に被切断体（３）を置き、ナイフブレード（２）の前方切れ刃部分（２ａ）より後方刃尻（２ｂ）方向へ移動させる事により、被切断体（３）を切断する。
この際、被切断体（３）の移動手段は、特定しない。
移動手段例、手に依る移動、コンベヤーに依る移動、ローラーに依る移動等。
ナイフブレード（２）の取付角度については、切断テーブル（１）の水平面に対し鋭角に角度を付けて取り付ければよく、取付角度については、特定しない。【０００７】切断テーブル（１）の形状について
被切断体（３）ＰＥＴウール等の市販規格としては、幅、９００ｍｍ、４５０ｍｍ、３００ｍｍ程度の物が出廻っており、切断テーブル（１）の幅は被切断体（３）の１．５倍程度有れば良く、特定しない。
被切断体（３）の長手方向の形状は、板状、ロール状の物が有るが、切断テーブル（１）の長さには関係せず、切断工具全体が安定すれば、３００ｍｍ程度以上有れば良く、長さは特定しない。【０００８】ナイフブレード（２）について
被切断体（３）ＰＥＴウール等の市販規格としては、厚さ、２５ｍｍ、５０ｍｍ、１００ｍｍ程度の物が出廻っており、ナイフブレード（２）の長さについては、被切断体（３）の厚み以上有れば良く、長さは特定しない。
ナイフブレード（２）の材質・形状については、鋭利な刃物であれば、専用ナイフブレード又は、市販の折線付きカッター刃等でも代用でき、特定しない。【０００９】押さえ板（４）について
当実施例に於いては、ナイフブレード（２）の折損防止の為、押さえ板（４）にナイフブレード（２）の厚み程度の溝（４ａ）を付け、ナイフブレード（２）を挟み、左右のブレを防止する。
ナイフブレード（２）の被切断体（３）移動時の圧力に依る回転運動を防止する為、押さえ板（４）の溝（４ａ）の深度を押さえ板（４）の厚みの中程で止める。
ナイフブレード（２）の回転運動の防止はナイフブレード（２）のナイフブレード固定金具（９）に於いても実施できる。
依って回転防止手段は、特定しない。
当実施例の押さえ板（４）は、上記の効果に加え被切断体（３）移動時の水平軌道の上下左右の軌道逸脱防止にも作用する。
尚、当押さえ板（４）は、実施例図▲１▼の如く、被切断体（３）の移動方向に向かい徐々に低くなる様に設置する為、被切断体（３）の移動や擦傷の影響は少ない。【００１０】幅定規（５）について
幅定規（５）はストッパー（５ａ）と固定ねじ付き金具（５ｂ）から成る。
幅定規（５）１対で被切断体（３）を挟み、左右水平位置を決める。
幅定規（５）は被切断体（３）移動時の水平軌道の位置ズレ防止に作用する。
幅定規（５）は上記の作用を満足する物であれば、材質及び形状は、特定しない。【００１１】寸法目盛（７）及び（７’）について
寸法目盛（７）及び（７’）はナイフブレード（２）の付いた辺と相対する辺に各々設置する。
一方の寸法目盛（７）はナイフブレード（２）の延長線（６）より左右に寸法目盛の値を順次大きく付する。
相対する寸法目盛（７’）もナイフブレード（２）の延長線（６）を境に左右に寸法目盛の値を順次大きく付する。
此れにより、被切断体（３）の切断サイズを視認出来る。
寸法目盛（７）及び（７’）の目盛のピッチは、特定しない。【００１２】付属品  定尺用寸法定規（８）について
市販規格に合致する定尺用寸法定規（８）を、一方の幅定規（５）を固定した後、に先固定した幅定規（５）に定尺用寸法定規（８）を垂直に当て、もう一方を先固定した幅定規（５）の反対側に合わせて固定すれば、残り寸法を計算する事無く、正確に設置する事が出来る。
実施例図▲１▼の如く、１本の定尺用寸法定規で（８ａ）（８ｂ）等、複数の定尺に対応できる。
上記内容を満足すれば、材質・形状は、特定しない。
【発明の効果】
【００１３】被切断体（３）をナイフブレード（２）の前方切れ刃部分（２ａ）より後方刃尻（２ｂ）方向へ移動させた時、被切断体（３）の一部が前方切れ刃部分（２ａ）に接触し、接触圧が大きくなるに従い、ナイフブレード（２）の傾斜に依り、接触部分が下方にズレる。
この時、包丁等の切断効果と同じ作用に依り、被切断体（３）を確実に切断する事が出来る。【００１４】押さえ板（４）は、ナイフブレード（２）の厚み程度の溝（４ａ）を設け、ナイフブレード（２）の片方を挟み込む為、左右のブレを防止し切断面の角度とナイフブレード（２）の折損を防止する事に作用する。
又、押さえ板（４）の溝（４ａ）の深度を押さえ板（４）の厚みの中程で止める事に依り、ナイフブレード（２）の被切断体（３）の圧力に依る回転を防止する。
更なる、押さえ板（４）の効果は、押さえ板（４）下端を幅定規（５）の高さに合わせる事に依り、被切断体（３）が浮き上がりに依り軌道逸脱する事を防止する。
軌道逸脱防止効果を高める為には、幅定規（５）と、当押さえ板（４）の、切断テーブル（１）上面よりの高さを、被切断体（３）の厚さより、ある程度低めに設定する事が望ましい。【００１５】幅定規（５）は、左右一対設置し被切断体（３）を挟み込む事に依り、被切断体（３）の切断軌道を決定し、被切断体（３）移動時の水平軌道の位置ズレ防止に作用し、寸法制度を高める効果がある。【００１６】寸法目盛（７）及び（７’）はナイフブレード（２）の延長線（６）より左右に離れる方向に向かって、寸法値を大きく付する事に依り、被切断体（３）の切断後の左右両寸法を確認できる。【００１７】付属品  定尺用幅定規（８）は、予め市販規格に合致する定尺用幅定規（８）を付属する事により、一方の幅定規（５）を固定した後、に先固定した幅定規（５）に当、定尺用幅定規（８）を垂直に当て、もう一方を先固定した幅定規（５）の反対側に合わせて固定すれば、残り寸法を計算する事無く、正確に幅定規（５）を設置する事が出来る。
【図面の簡単な説明】
【００１８】
【図１】図１は、本発明、実施例の斜視図
【符号の説明】
【００１９】（１）      切断テーブル
（２）      ナイフブレード
（２ａ）    （２）の切れ刃部分
（２ｂ）    （２）の刃尻部分
（３）      被切断体（ＰＥＴウール）
（４）      押さえ板
（４ａ）    溝
（５）      幅定規
（５ａ）    ストッパー金具
（５ｂ）    固定ねじ付き金具
（６）      ナイフブレード延長線
（７）      寸法目盛
（７’）    寸法目盛
（８）      定尺用幅定規（付属品）
（８ａ）    定尺幅寸法
（８ｂ）    定尺幅寸法
（９）      ナイフブレード固定金具
【図１】
2016011483.tif 000003